(57)【特許請求の範囲】
【請求項１】
弾性圧搾可能に設けた胴部２の上端から口頸部４を起立する容器体１と、
上記口頸部４外面へ着脱自在に、かつ水密に嵌合させた装着筒12上端から保持筒14を起立させ、該筒の上部内面を、中心部に透孔18を有する横壁19で閉塞すると共に、該横壁上面と横壁上方筒部分内面とで凹状球面部20を形成する基筒11と、
上記保持筒14の外面へ、外嵌筒22を回動不能にかつ着脱自在に嵌合させ、かつ該筒の前側面から複数の櫛歯23を前方突出する管状櫛21と、
上記凹状球面部20で、注出管32下端に付設した球形部33を回動可能に包持させて注出管32を起立するノズル31とからなり、
注出管起立状態では、上記横壁の透孔18と球形部下面に開孔するノズル孔34とが連通し、又注出管を傾けた状態では、球形部33外面が透孔18を密閉可能としたことを特徴とする櫛付き容器。
【請求項２】
上記外嵌筒22の前面以外の上方側部から、上記櫛歯間隔よりも小間隔の部分染め用の複数の小櫛歯27を突出させた
ことを特徴とする請求項１記載の櫛付き容器。
【請求項３】
上記保持筒14下部を除く部分を小外径部14b とし、かつ該小外径部外面と該小外径部外面へ嵌合させる外嵌筒22の内面とに互いに噛み合う凹凸の第１係合凹凸条24、16を縦設し、又これ等小外径部の上部外面と外嵌筒の上部内面とに強制乗越えが可能に係合する第２係合凹凸条17、25を付設した
ことを特徴とする、請求項１又は２記載の櫛付き容器。
【発明の詳細な説明】
【０００１】
【発明の属する技術分野】
本発明は櫛付き容器に関する。
【０００２】
【従来の技術】
例えば、特開平11-206456 号が示すように、注出管前側面から複数の透孔付き櫛歯を突出させた管状櫛を、エアゾール缶上面から起立するステムに嵌合させ、該ステム押下げによりエアゾール缶内の液状整髪料が上記ステム、注出管、櫛歯内を通ってそれぞれの櫛歯中間部から注出するよう設けたエアゾール缶付き整髪具が知られている。
【０００３】
【発明が解決しようとする課題】
一般に云われている毛染め液は、髪を変色させる薬液と、髪表面へ着色するだけの薬液とに分けられ、前者の薬液は、化学的な変化のおそれがあるため、毛染めに際して異なる成分の二種薬液を混合して形成される。又該前者薬液の場合は効果が大であるため、使用後そのまま放置すると器具が黒ずみ外見を損なうから特に使用後の洗浄が不可避である。
【０００４】
本発明容器は主として前者薬液を使用するためのものであり、容器使用後の分解洗浄、又再組付けが容易であり、併せてその使用も便利であるよう設けたものである。
【０００５】
【課題を解決するための手段】
第１の手段として弾性圧搾可能に設けた胴部２の上端から口頸部４を起立する容器体１と、
上記口頸部４外面へ着脱自在に、かつ水密に嵌合させた装着筒12上端から保持筒14を起立させ、該筒の上部内面を、中心部に透孔18を有する横壁19で閉塞すると共に、該横壁上面と横壁上方筒部分内面とで凹状球面部20を形成する基筒11と、
上記保持筒14の外面へ、外嵌筒22を回動不能にかつ着脱自在に嵌合させ、かつ該筒の前側面から複数の櫛歯23を前方突出する管状櫛21と、
上記凹状球面部20で、注出管32下端に付設した球形部33を回動可能に包持させて注出管32を起立するノズル31とからなり、
注出管起立状態では、上記横壁の透孔18と球形部下面に開孔するノズル孔34とが連通し、又注出管を傾けた状態では、球形部33外面が透孔18を密閉可能とした。
【０００６】
第２の手段として上記第１の手段を有すると共に、上記外嵌筒22の前面以外の上方側部から、上記櫛歯間隔よりも小間隔の部分染め用の複数の小櫛歯27を突出させた。
【０００７】
第３の手段として、上記第１又は第２の手段を有すると共に、上記保持筒14下部を除く部分を小外径部14b とし、かつ該小外径部外面と該小外径部外面へ嵌合させる外嵌筒22の内面とに互いに噛み合う凹凸の第１係合凹凸条24、16を縦設し、又これ等小外径部の上部外面と外嵌筒の上部内面とに強制乗越えが可能に係合する第２係合凹凸条17、25を付設した。
【０００８】
【発明の実施の形態】
以下図面について説明すると、１は弾性圧搾可能な胴部２を有する合成樹脂製の容器体で、胴部上端から肩部３を介して口頸部４を起立している。
【０００９】
11は基筒で、上記口頸部外面へ螺合させた装着筒12上端から内向きフランジ13を介して保持筒14を起立する。内向きフランジ13下面からは口頸部内面へ水密に嵌合させるシール筒15を垂下しており、又保持筒14は下部14a に対して該下部よりも上方の部分を上向き段部14c を介して小外径部14b としており、該小外径部外面には少数の凸条16を縦設し、かつ上部外面には凹条17を周設している。
【００１０】
又保持筒の上部内面は中心部に透孔18を有する横壁19で閉塞し、かつ該横壁上面と横壁上方の保持筒部分内面とで凹状球面部20を形成している。
【００１１】
21は管状櫛で、上記保持筒14の小外径部外面へ外嵌筒22を嵌合させ、かつ外嵌筒22の前側面から複数の櫛歯23を前方突出している。外嵌筒22はその内面に既述凸条16と噛み合って回動を不能とする凹条24を有し、又周設された凹条と噛み合って保持筒に対する管状櫛の上方抜出しを、強制引上げによってだけ可能とする凸条25を上部内面に有する。
【００１２】
又外嵌筒22の後方上部側面には、三角形状板26を保持筒上端部へ頂角を位置させ、かつ後面を斜下後方へ傾斜させて付設し、その後面から部分染め用の複数の小櫛歯27を斜後上方へ突出させている。但し該小櫛歯は櫛歯23使用時邪魔とならない位置であれば、左右いずれかの側部でもよい。
【００１３】
31はノズルで、注出管32下端を球形部33としており、該球形部を既述凹状球面部20内へ嵌合させて抜出ししないよう回動可能に包持させている。注出管のノズル孔34は球形部33の下面へ開孔させてあり、既述透孔18とノズル孔34とは注出管起立状態で連通し、又注出管を大きく傾けることで透孔18上面を球形部33外面が、又ノズル孔下面を凹状球面部20が、それぞれ密閉するよう設けている。
【００１４】
上記構成において、予め容器体１内へ二液混合により設けた髪染め液を入れておき、管状櫛21およびノズル31を付設して、基筒11の装着筒12を容器体口頸部に嵌合させ、ノズル31を起立させた状態で容器体胴部を圧搾してノズル孔34から髪染め液を注出し、該髪染め液を適宜方法で髪に付け、ノズルを傾けてノズル孔下端を閉じた後、櫛歯23ないし部分染めの場合は小櫛歯27を使用して髪を染めればよい。
【００１５】
使用終了後は容器体１、基筒11、管状櫛21を分解して洗浄し、再度組付けておく。
【００１６】
尚図示例において各部材はそれぞれ合成樹脂材で形成している。
【００１７】
【発明の効果】
本発明は既述構成とするもので、請求項１のように形成することで、使用の都度、二種薬液混合により設ける髪染め液を容器体に入れて使用できる便利があり、容器体と基筒と管状櫛とをそれぞれ着脱自在としたから、使用後の各部材洗浄が容易に出来て清潔に保つことが出来る。又保持筒14の上部内面を透孔18付きの凹状球面部20とし、かつ該凹状球面部でノズル31下端の球形部33を包持させ、該ノズルの注出管32を起立させたり、傾けたりすることで上記透孔18が開閉するよう設けたから、その開閉が容易である。
【００１８】
請求項２のようにすることで、小櫛歯27で髪の部分染めを容易に行うことが出来る。
【００１９】
請求項３のように行うことで、櫛使用時において、基筒11に対する管状櫛21の回動および抜出しを確実に防止し、又基筒に対して管状櫛を必要時にだけ強制引抜きできる便利がある。又基筒11に対する管状櫛21再嵌合時に、外嵌筒22嵌合部が上向き段部14c としてあるから、嵌め過ぎることがなく、保持筒14の所定位置へ外嵌筒を嵌めることが容易である。
【図面の簡単な説明】
【図１】    本発明容器の縦断面図である。
【図２】    図１容器の正面図である。
【図３】    図１容器の平面図である。
【図４】    容器主要部材の分解断面図である。
【符号の説明】
１…容器体              11…基筒
21…管状部材            31…ノズル
【図１】
0003852670.tif 000002
【図２】
0003852670.tif 000003
【図３】
0003852670.tif 000004
【図４】
0003852670.tif 000005